(57)【要約】  本発明は、少なくとも実質的に背筋を伸ばして座る子供用に構成された少なくとも１つのチャイルドシート（１０）と、横たわる小さな子供用に構成された乳児キャリヤー（３４）とを備え、乳児キャリヤー（３４）はチャイルドシート（１０）内に収容されるように構成されるチャイルドシートシステムに基づく。乳児キャリヤー（３４）は少なくとも実質的に硬質シェル（３６）によって形成されることが提案される。
2018523608.tif 000002
【特許請求の範囲】
【請求項１】
少なくとも実質的に背筋を伸ばして座る子供用に構成された少なくとも１つのチャイルドシート（１０）と、横たわる小さな子供用に構成された乳児キャリヤー（３４）とを備え、前記乳児キャリヤー（３４）が前記チャイルドシート（１０）内に収容されるように構成されるチャイルドシートシステムにおいて、前記乳児キャリヤー（３４）が少なくとも実質的に硬質シェル（３６）によって形成されることを特徴とする、チャイルドシートシステム。
【請求項２】
前記乳児キャリヤー（３４）が、小さな子供を移動中に保護するように構成された一体型ベルトシステム（４６）を含むことを特徴とする、請求項１に記載のチャイルドシートシステム。
【請求項３】
前記乳児キャリヤー（３４）が、少なくとも１つの形状合致要素（５０、５２）であって、少なくとも着座方向において前記チャイルドシート（１０）の対応する形状合致要素（５４、５６）とともに前記乳児キャリヤー（３４）を固定するように構成された少なくとも１つの形状合致要素（５０、５２）を含むことを特徴とする、請求項１または２に記載のチャイルドシートシステム。
【請求項４】
前記少なくとも１つの形状合致要素（５０、５２）が前記乳児キャリヤー（３４）の後側（４８）に配置されることを特徴とする、請求項３に記載のチャイルドシートシステム。
【請求項５】
前記乳児キャリヤー（３４）を前記チャイルドシート（１０）に強固に接続するために、前記少なくとも１つの形状合致要素（５０、５２）が、他方の前記形状合致要素（５４、５６）のボルト（５８、６０）を少なくとも部分的に取り囲むように構成されることを特徴とする、少なくとも請求項３に記載のチャイルドシートシステム。
【請求項６】
前記少なくとも１つの形状合致要素（５０、５２）がＩＳＯＦＩＸコネクタとして形成されることを特徴とする、少なくとも請求項３に記載のチャイルドシートシステム。
【請求項７】
前記乳児キャリヤー（３４）が、前記乳児キャリヤー（３４）を前記チャイルドシート（１０）に接続するために少なくとも２つの形状合致要素（５０、５２）を含むことを特徴とする、少なくとも請求項３に記載のチャイルドシートシステム。
【請求項８】
前記乳児キャリヤー（３４）が、前記乳児キャリヤー（３４）の下側（７２）に配置された少なくとも１つのさらなる形状合致要素（７０）を含むことと特徴とする、請求項１〜７のいずれか一項に記載のチャイルドシートシステム。
【請求項９】
前記少なくとも１つのさらなる形状合致要素（７０）が前記乳児キャリヤー（３４）の前端部に配置されることを特徴とする、請求項８に記載のチャイルドシートシステム。
【請求項１０】
前記少なくとも１つのさらなる形状合致要素（７０）が実質的にＬ字形のフックとして形成されることを特徴とする、少なくとも請求項８に記載のチャイルドシートシステム。
【請求項１１】
前記チャイルドシート（１０）が、前記乳児キャリヤー（３４）の少なくとも１つのさらなる形状合致要素（７０）に対応するように形成された少なくとも１つのさらなる形状合致要素（７４）を含むことを特徴とする、少なくとも請求項８に記載のチャイルドシートシステム。
【請求項１２】
前記チャイルドシート（１０）の少なくとも１つのさらなる形状合致要素（７４）が凹部として形成されることを特徴とする、請求項１１に記載のチャイルドシートシステム。
【請求項１３】
前記チャイルドシート（１０）が、少なくとも１つの基礎シート構造（１８）と、前記基礎シート構造（１８）内に配置された少なくとも１つの中間シェル（２４）とを含むことを特徴とする、請求項１〜１２のいずれか一項に記載のチャイルドシートシステム。
【請求項１４】
請求項１〜１３のいずれか一項に記載のチャイルドシート。
【請求項１５】
請求項１〜１３のいずれか一項に記載の乳児キャリヤー。
【発明の詳細な説明】
【技術分野】
【０００１】
本発明は、請求項１の前提部によるチャイルドシートシステムに関する。
【背景技術】
【０００２】
少なくとも実質的に背筋を伸ばして座る子供用に構成された少なくとも１つのチャイルドシートと、横たわる小さな子供用に構成された乳児キャリヤーとを備え、乳児キャリヤーはチャイルドシート内に収容されるように構成されているチャイルドシートシステムが既に提案されている。
【発明の概要】
【発明が解決しようとする課題】
【０００３】
本発明の目的は特に、利用可能な安全性に関して改良された特徴を備えた汎用システムを作製することである。この目的は、請求項１の特徴によって本発明に従い達成される一方、本発明の有利な実施およびさらなる発展は従属項によって明らかになり得る。
【課題を解決するための手段】
【０００４】
本発明は、少なくとも実質的に背筋を伸ばして座る子供用に構成された少なくとも１つのチャイルドシートと、横たわる小さな子供用に構成された乳児キャリヤーとを備え、乳児キャリヤーはチャイルドシート内に収容されるように構成されているチャイルドシートシステムに基づく。
【０００５】
提案されるのは、乳児キャリヤーが硬質シェルによって少なくとも実質的に形成されることである。「チャイルドシート」について、本明細書中、安全かつ子供に適した方法で子供を自動車で運べる子供用シートが特に理解されるべきであり、このチャイルドシートは本文脈において、生まれてから約４歳の年齢までおよび／または２０ｋｇまでの体重の子供用に特に構成される。「少なくとも実質的に背筋を伸ばして座る子供用に構成される」は、本明細書中、チャイルドシートで運ばれる子供が、規制に準拠して実質的に背筋を伸ばした姿勢でチャイルドシートに座っていることを特に意味するが、チャイルドシートはわずかに傾けられ、したがって子供はチャイルドシート内で完全に背筋を伸ばすのではなくわずかに横になった姿勢で座っていることも考えられる。「構成される」は、特別に設計および／または装備されることを特に意味する。特定の機能に対し構成されている物体によって、物体が少なくとも１つの使用状況および／または動作状況において特定の機能を満たすおよび／または実行することが特に理解されるべきである。「乳児キャリヤー」について、本明細書中、生まれてから１２か月の年齢までおよび／または１０ｋｇまでの体重の小さな子供を、特に自動車で、安全かつ小さな子供に適した方法で運ぶことができる小さな子供用の運送シェルが理解されるべきであり、乳児キャリヤーで運ばれる小さな子供は、実質的に横になった姿勢で乳児キャリヤーで運ばれる。乳児キャリヤーは車外で小さな子供を運ぶために構成されることも原則的に考えられ、例えば、乳児キャリヤーは結合モジュールを介してベビーカーの基礎フレームに接続可能であり、このようにしてベビーカー基礎フレームとともにベビーカーを形成することが考えられる。「チャイルドシート内に収容される」は本明細書中、チャイルドシートの着座領域に配置され、チャイルドシートによって少なくとも部分的に、特にチャイルドシートの２つの側面領域でおよび後部領域で取り囲まれることを意味する。特に、乳児キャリヤーは、乳児キャリヤーが少なくとも広い範囲でチャイルドシートによって横方向において取り囲まれるような方法でチャイルドシートの着座領域内に配置される。「実質的に硬質シェルによって形成される」について、本明細書中、乳児キャリヤーが、少なくとも５０％まで、好ましくは少なくとも７５％まで、硬質シェルすなわち硬質合成材料から、または当業者によって都合がよいとみなされる他のいずれかの材料から形成されることが特に理解されるべきである。硬質シェルは、本明細書中、乳児キャリヤーの耐荷重性の基体を形成する。乳児キャリヤーはさらに、小さな子供が配置される横臥領域を支えるクッションを含む。原則的に、乳児キャリヤーが補強要素を含み、補強要素は乳児キャリヤーを補強し、およびそのために乳児キャリヤーに接続されるか挿入されることも考えられる。「硬質シェルによって実質的に形成される乳児キャリヤー」について、本明細書中、乳児キャリヤーがクッションまたは複数のクッションのみによって形成されないことが特に理解されるべきである。本発明の実施例により、乳児キャリヤーで運ばれる小さな子供を特に有利に保護するチャイルドシートシステムを提供することができる。
【０００６】
さらに提案されるのは、乳児キャリヤーが、小さな子供を移動中に守るように構成された一体型ベルトシステムを含むことである。「一体型ベルトシステム」について、本明細書中、小さな子供用に構成され、乳児キャリヤーに固定式に接続され、小さな子供を守るために特に設計されたベルトシステムが特に理解されるべきである。一体型ベルトシステムは、好ましくは、小さな子供を固定するためにベルトロックを介して相互に接続されてもよい複数の相互接続されたベルトを含む５点式ベルトシステムである。この内部ベルトシステムは、車両に固定式に一体化された外部の車両側ベルトシステムと異なるように、またチャイルドシートのベルトシステムと異なるように特に具現化される。「移動中に守る」は、乗車中、乳児キャリヤー内で小さな子供を固定することを特に意味する。一体型ベルトシステムは原則的に、車外でも乳児キャリヤー内に小さな子供を固定するようにも構成される。これにより特に有利に、小さな子供を守るための、および特に車外ですでに乳児キャリヤー内で小さな子供を固定するための乳児キャリヤーを提供することができ、その結果、チャイルドシートの特に有利な使用が達成可能である。
【０００７】
さらに提案されるのは、乳児キャリヤーが、少なくとも１つの形状合致要素（Ｆｏｒｍｓｃｈｌｕｓｓｅｌｅｍｅｎｔ）であって、少なくとも着座方向においてチャイルドシートの対応する形状合致要素とともに乳児キャリヤーを固定するように構成された少なくとも１つの形状合致要素を含むことである。「形状合致要素（Ｆｏｒｍｓｃｈｌｕｓｓｅｌｅｍｅｎｔ）」について、本明細書中、対応する形状合致要素と幾何学的に係合することによっておよび／または対応する形状合致要素上に配置することによって、形状合致接続を確立することができる要素が特に理解されるべきである。乳児キャリヤーが少なくとも１つの形状合致要素および／または圧力嵌め要素を介してチャイルドシートに接続可能であり、形状合致要素および／または圧力嵌め要素は形状合致接続および圧力嵌め接続の組合せによってチャイルドシートと乳児キャリヤーとの間の固定された接続を保証することも原則的に考えられる。このようにして乳児キャリヤーは特に簡単かつ有利な方法でチャイルドシートと結合可能である。
【０００８】
さらに提案されるのは、少なくとも１つの形状合致要素が乳児キャリヤーの後側に配置されることである。「乳児キャリヤーの後側」について、本明細書中、乳児キャリヤーを形成する着座および／または横臥面の反対側に配置された乳児キャリヤーの側が特に理解されるべきである。乳児キャリヤーの後側は、本明細書中、乳児キャリヤーの着座および／または横臥方向において後方を向く乳児キャリヤーの側によって具現化される。チャイルドシート内に収容される状態において、乳児キャリヤーの後側はチャイルドシートの方を向いている。これにより、形状合致要素をチャイルドシートと結合するために特に有利な方法で配置することができる。
【０００９】
同じく提案されるのは、乳児キャリヤーをチャイルドシートに強固に接続するために、乳児キャリヤーの少なくとも１つの形状合致要素が、チャイルドシートの形状合致要素の少なくとも１つのボルトを少なくとも部分的に取り囲むように構成されることである。「少なくとも部分的に取り囲むように」は、本明細書中、形状合致要素がボルトを、少なくとも結合された状態において、少なくとも５０％まで、好ましくは７５％超まで、および特に有利な状態では完全に一方向において取り囲むことを特に意味する。このようにして乳児キャリヤーとチャイルドシートとの間の特に有利な形状合致接続を実現することができる。
【００１０】
これを越えて、少なくとも１つの形状合致要素がＩＳＯＦＩＸコネクタとして具現化されることが提案される。「ＩＳＯＦＩＸコネクタ」について、本明細書中、ＩＳＯ１３２１６に従って標準化され、かつ、チャイルドシートシステムの自動車シャシへの接続用に構成されているコネクタが特に理解されるべきである。これにより、少なくとも１つの形状合致要素を標準部品によって提供することができる。
【００１１】
さらに提案されるのは、乳児キャリヤーが乳児キャリヤーをチャイルドシートに接続するために少なくとも２つの形状合致要素を含むことである。これにより、特に確実な方法で乳児キャリヤーをチャイルドシートと結合することができる。
【００１２】
さらに提案されるのは、チャイルドシートが少なくとも１つの基礎シート構造と、基礎シート構造内に配置された少なくとも１つの中間シェルとを含むことである。「基礎シート構造」について、本明細書中、少なくとも後方および横方向でチャイルドシートの境界を定めるチャイルドシートの耐荷重性構造が特に理解されるべきである。「中間シェル」は、本明細書中、基礎シート構造の内側に配置され、特にチャイルドシートの側方領域において追加補強を行う基礎シート構造に加えた構造要素を特に意味する。中間シェルは、本明細書中、基礎シート構造とチャイルドシートのおよび／または乳児キャリヤーのクッションとの間に配置される。このようにして、中間シェルは追加の衝撃保護を提供するので、チャイルドシートの安全性は特に有利に高められる。
【００１３】
同じく提案されるのは、乳児キャリヤーが、乳児キャリヤーの下側に配置された少なくとも１つのさらなる形状合致要素を含むことである。「さらなる形状合致要素」について、本明細書中、少なくとも１つの形状合致要素と異なる形状合致要素が特に理解されるべきである。「乳児キャリヤーの下側」について、本明細書中、規制に従って乳児キャリヤーをその上に設置できる乳児キャリヤーの側が特に理解されるべきである。乳児キャリヤーがチャイルドシート内に配置された状態において、乳児キャリヤーの下側はチャイルドシートの着座面の方を向いている。これにより、乳児キャリヤーをチャイルドシート内で回転しないように特に有利に固定することができる。
【００１４】
これを越えて提案されるのは、少なくとも１つのさらなる形状合致要素が乳児キャリヤーの前端部に配置されることである。「乳児キャリヤーの前端部」は、本明細書中、乳児キャリヤーの着座および／または横臥方向における前端部を特に意味する。これにより、乳児キャリヤーを固定するためにさらなる形状合致要素をチャイルドシートに特に有利に配置することができる。
【００１５】
さらに提案されるのは、少なくとも１つのさらなる形状合致要素が実質的にＬ字形のフックとして具現化されることである。「実質的にＬ字形のフック」は、本明細書中、形状合致要素が実質的にＬ字形を形成し、形状合致要素の少なくとも２つの部分領域が互いに直交することを特に意味する。原則的に、少なくとも２つの部分領域が９０度から最大３０度だけ、好ましくは１５度以下だけ、好ましくは最大５度だけ異なる角度を含むことも原則的に考えられる。これにより、形状合致要素を特に簡単な方法で形成することができる。
【００１６】
さらに提案されるのは、チャイルドシートが、乳児キャリヤーの少なくとも１つのさらなる形状合致要素に対応して形成された少なくとも１つのさらなる形状合致要素を含むことである。「対応して形成された形状合致要素」について、本明細書中、対応して形成された形状合致要素と形状合致接続を確立でき、そのために前記２つの形状合致要素が少なくとも１つの方向において互いに固定式に接続されるような方法で形成される形状合致要素が特に理解されるべきである。対応して具現化される形状合致要素は、本明細書中、好ましくは、乳児キャリヤーのさらなる形状合致要素が形状合致接続をするために係合する凹部として具現化される。このようにして、チャイルドシートは乳児キャリヤーと結合するために有利に形成することができる。
【００１７】
同じく提案されるのは、チャイルドシートの少なくとも１つのさらなる形状合致要素が凹部として具現化されることである。このようにして、チャイルドシートのさらなる形状合致要素を、特に有利な態様で形成することができる。
【００１８】
本発明によるチャイルドシートシステムは、本明細書中、上記の使用および実施に制限されない。特に、本明細書に記載された機能を満たすために、本発明によるチャイルドシートシステムは、本明細書に記載した数と異なる数の各要素、構造部品およびユニットを含んでもよい。
【００１９】
さらなる利点は以下の図面の説明によって明らかになり得る。図面は本発明の例示的実施形態を示す。図面、その説明および特許請求の範囲は、複数の特徴を組み合わせて含んでいる。当業者であれば、意図的にそれらの特徴を別々に考慮し、さらなる都合のよい組合せを見出すであろう。
【図面の簡単な説明】
【００２０】
【図１】シート基礎部分、チャイルドシートおよび乳児キャリヤーを備えた本発明によるチャイルドシートシステムの概略図を示す。
【図２】チャイルドシートおよびシート基礎部分の概略図を示す。
【図３】乳児キャリヤーと接続するためのチャイルドシートの形状合致要素の概略的な詳細図を示す。
【図４】乳児キャリヤーの概略側面図を示す。
【図５】乳児キャリヤーの概略後面図を示す。
【図６】前端部における乳児キャリヤーのさらなる形状合致要素の概略的な詳細図を示す。
【図７】チャイルドシートのさらなる形状合致要素の概略的な詳細図を示す。
【発明を実施するための形態】
【００２１】
図１〜７は本発明によるチャイルドシートシステムの実施形態を示している。チャイルドシートシステムは自動車チャイルドシートシステムとして提供され、自動車内に取り付けられるように構成されている。チャイルドシートシステムは自動車内の子供または赤ん坊を安全に運ぶように構成されている。チャイルドシートシステムはチャイルドシート１０を含む。チャイルドシート１０は生まれてから約４歳の年齢までおよび約２０ｋｇの体重までの子供を運ぶように構成されている。チャイルドシート１０は本明細書中、実質的に背筋を伸ばして座る子供用に構成されている。自動車内に組み付けられた状態で、チャイルドシート１０は自動車のシートにまたは自動車のベンチシートに固定して取り付けられる。自動車内にチャイルドシート１０を接続する目的で、チャイルドシートシステムはシート基礎部分１２を含む。シート基礎部分１２は自動車のシートにまたはベンチシートに直接接続されるように構成される。シート基礎部分１２は、自動車と直結するように構成された固定手段をその後端部に含む。固定手段はＩＳＯＦＩＸコネクタとして形成されている。接続のために、対応して形成されるＩＳＯＦＩＸコネクタは、固定手段として自動車内に配置され、この固定手段を介してシート基礎部分１２は自動車に固定接続可能である。原則的にシート基礎部分１２は、当業者によって都合がよいとみなされる異なる態様で具現化される固定手段を介して自動車と結合可能であることも考えられる。シート基礎部分１２はさらにその前端部に足部３２を含み、足部３２によってシート基礎部分１２を自動車の床の上で支持することができる。原則的に、チャイルドシートシステムがシート基礎部分を含まず、チャイルドシート１０が適切に具現化された固定手段を介して直接自動車内に接続されることも考えられる。
【００２２】
チャイルドシート１０はシート底部１４および背もたれ１６を有する。シート底部１４は、チャイルドシート１０内に配置された子供を座らせることができる座面を形成する。背もたれ１６はシート底部１４の後側に配置され、シート底部１４から上方に、かつ、シート基礎部分１２から離れる方に延びる。チャイルドシート１０は基礎シート構造１８を含む。基礎シート構造１８はチャイルドシート１０のシェルとして具現化される。基礎シート構造１８はチャイルドシート１０の耐荷重構造を形成する。基礎シート構造１８は硬質プラスチック材料から形成される。原則的に、基礎シート構造１８は、当業者によって都合がよいと見なされる異なる材料から、例えば具体的にはＣＦＲＰまたはＧＦＲＰのような繊維複合材料から形成されることも考えられる。基礎シート構造１８を介して、チャイルドシート１０はシート基礎部分１２に結合可能である。下側部分で基礎シート構造１８はシート基礎部分１２との接続領域を形成する。基礎シート構造１８はさらに背もたれ１６の後側を形成し、また、取り付けられた状態においてシート基礎部分１２から離れる方を向く上側部分において、チャイルドシート１０の横方向の境界を定める頭部領域２０、２２を形成する。頭部領域２０、２２は、背もたれ１６から、着席方向において前方に延在する。ここで頭部領域２０、２２は特に、チャイルドシート１０に座っている子供の頭部が配置される領域を取り囲む。頭部領域２０、２２は特に、チャイルドシート１０に座っている子供の頭部が配置されるチャイルドシート１０の領域における側方衝撃保護を提供する。これによりチャイルドシート１０を特に安全な方法で形成することができる。
【００２３】
チャイルドシート１０は中間シェル２４を含む。中間シェル２４は基礎シート構造１８内に配置される。中間シェル２４は基礎シート構造１８の内側に配置される。中間シェル２４は基礎シート構造１８に強固に接続される。中間シェル２４は、複数の接続要素（詳細には示さない）を介して基礎シート構造１８に固定式に接続される。中間シェル２４はチャイルドシート１０のシート底部１４を形成する。特にシート底部１４の領域において、中間シェル２４は側壁２６、２８を形成し、側壁２６、２８はシート底部１４の領域においてチャイルドシート１０の外側の境界を定める。このようにして、側方衝撃保護は、中間シェル２４の壁２６、２８によってシート底部１４の領域に提供される。シート底部１４から離れる方を向く中間シェル２４の上端部において、中間シェル２４はヘッドレスト３０を有する。ヘッドレスト３０はＵ字形を有し、基礎シート構造１８の頭部領域２０、２２に加えて、チャイルドシート１０に座る子供の頭部の側方衝撃保護を提供する。チャイルドシート１０はさらにクッションを含むがこれについては詳細に示さない。クッションは、チャイルドシート１０の座る領域でシート底部１４および背もたれ１６を覆う。クッションは発泡材料によって具現化される。原則的に、クッションは異なる軟質材料によって具現化されることも考えられる。
【００２４】
チャイルドシートシステムは乳児キャリヤー３４を含む。乳児キャリヤー３４は小さな子供が横たわるように構成されている。乳児キャリヤー３４は、生まれてから１２か月の年齢までのおよび／または１０ｋｇまでの体重の小さな子供を運ぶために構成されている。乳児キャリヤー３４は実質的に硬質シェル３６から形成される。硬質シェル３６は乳児キャリヤー３４の基礎構造部分を形成する。硬質シェル３６は硬質プラスチック材料から形成される。原則的に、硬質シェル３６は、当業者によって都合がよいとみなされる異なる材料、例えば繊維複合材料、例えばＣＦＲＰまたはＧＦＲＰから形成されることも考えられる。硬質シェル３６は複数の個々の要素から形成されるが、それらについて詳細には指定しない。原則的に、硬質シェル３６は単一の構造部品から形成されることも考えられる。その内側３８で乳児キャリヤー３４は小さな子供用の着座面および／または横臥面４０を形成する。乳児キャリヤー３４はクッション（詳細に示さない）を含み、クッションは着座面および／または横臥面４０において乳児キャリヤー３４を支える。乳児キャリヤー３４は持ち運び用ハンドル４２を含む。持ち運び用ハンドル４２は人が乳児キャリヤー３４を容易に運べるように構成される。持ち運び用ハンドル４２は乳児キャリヤー３４に枢動可能に連結される。持ち運び用ハンドル４２は乳児キャリヤー３４の硬質シェル３６に接続される。持ち運び用ハンドル４２は、硬質シェル３６の第１の側から硬質シェル３６の第２の側へ延びる。持ち運び用ハンドル４２は、実質的にＵ字形に形成される。持ち運び用ハンドル４２を関節式に接続するために、硬質シェル３６は両側にピボット軸受４４を含み、それを介して持ち運び用ハンドル４２は乳児キャリヤー３４の硬質シェル３６に接続される。乳児キャリヤー３４は一体型ベルトシステム４６を含む。一体型ベルトシステム４６は、乳児キャリヤー３４で運ばれる小さな子供を保護するように構成される。一体型ベルトシステム４６は５点式ベルトとして構成される。原則的に、ベルトシステム４６は当業者によって都合がよいとみなされる異なるベルトシステムとして具現化されることも考えられる。一体型ベルトシステム４６は乳児キャリヤー３４の硬質シェル３６に固定式に接続される。一体型ベルトシステム４６は図１に概略的に示されるだけである。一体型ベルトシステム４６の構成ならびに乳児キャリヤー３４の硬質シェル３６へのその固定は、当業者に知られる有用な方法に一致するものであり、したがって、ここで詳細に記載することはない。
【００２５】
乳児キャリヤー３４はチャイルドシート１０の中に収容されるように構成される。自動車内に固定するために、乳児キャリヤー３４はチャイルドシート１０の中に収容される。乳児キャリヤー３４はチャイルドシート１０に固定式に接続されるので、紛失する虞がない。チャイルドシート１０に固定された接続のため、乳児キャリヤー３４は、チャイルドシート１０の着座領域に配置される。乳児キャリヤー３４は中間シェル２４内の領域に導入される。乳児キャリヤー３４はチャイルドシート１０のクッション（不図示）の上に設置される。原則的に、クッションの少なくとも一部またはクッション全体が、チャイルドシート１０内に乳児キャリヤー３４を取り付けるために取り除かれることも考えられる。乳児キャリヤー３４がチャイルドシート１０と結合している状態において、乳児キャリヤー３４の後側４８はチャイルドシート１０の方を向いている。チャイルドシート１０と結合するために、乳児キャリヤー３４は、第１の形状合致要素５０と、第２の形状合致要素５２とを含む。２つの形状合致要素５０、５２は、チャイルドシート１０と結合するように構成される。乳児キャリヤー３４の形状合致要素５０、５２を介して乳児キャリヤー３４と接続するために、チャイルドシート１０は、対応付けて設けられた２つの形状合致要素５４、５６を含む。乳児キャリヤー３４の形状合致要素５０、５２は、対応して具現化されたチャイルドシート１０の形状合致要素５４、５６と一緒に、乳児キャリヤー３４を着座方向に固定するように構成される。形状合致要素５０、５２および対応して具現化されたチャイルドシート１０の形状合致要素５４、５６の接続によって、乳児キャリヤー３４は、全ての方向において、軸方向にチャイルドシート１０の中に固定される。
【００２６】
乳児キャリヤー３４の形状合致要素５０、５２は乳児キャリヤー３４の後側４８に配置される。形状合致要素５０、５２は、それぞれ、チャイルドシート１０の形状合致要素５４、５６のボルト５８、６０の周囲に係合するように構成される。接続された状態で、乳児キャリヤー３４の形状合致要素５０、５２は、チャイルドシート１０の対応する形状合致要素５４、５６の各ボルト５８、６０を完全に包み込む。この結果、接続された状態で、乳児キャリヤー３４はチャイルドシート１０に固定式に接続され、それによって、全ての方向において安全が保証される。形状合致要素５０、５２は乳児キャリヤー３４の後側４８から間隔をおいて配置される。その後側４８で硬質シェル３６は形状合致要素５０、５２ごとに突起６２、６４を形成し、形状合致要素５０、５２は突起６２、６４の各端部に配置され、各端部は後側４８から離れる方を向いている。形状合致要素５０、５２はラッチ要素（詳細には示さない）を含み、ラッチ要素はチャイルドシート１０の形状合致要素５４、５６と結合する際に偏向され、形状合致接続を確立するために各形状合致要素５４、５６のボルト５８、６０の後ろでスナップ嵌めする。２つの形状合致要素５０、５２は実質的に乳児キャリヤー３４の同じ高さの所に配置される。しかしながら、原則的に、形状合致要素５０、５２は異なる高さの所に配置されることも考えられる。１つの形状合致要素５０が乳児キャリヤー３４の第１の側に配置され、それは着座方向で見て左側である。第２の形状合致要素５２が第１の側の反対に配置された乳児キャリヤー３４の側に配置され、それは着座方向で見て右側である。形状合致要素５０、５２は、ＩＳＯＦＩＸコネクタとして具現化される。ＩＳＯＦＩＸコネクタとして具現化された形状合致要素５０、５２は、従来技術から当業者に知られるＩＳＯＦＩＸコネクタに従って形成され、したがって本明細書に詳細に記載しない。原則的に、形状合致要素５０、５２が、当業者によって都合がよいとみなされる異なる態様で具現化されることも考えられる。チャイルドシート１０の形状合致要素５４、５６はチャイルドシート１０の基礎シート構造１８によって形成される。形状合致要素５４、５６はそれぞれ保持要素６６、６８を含み、それらは形状合致要素５４、５６の各ボルト５８、６０を基礎シート構造１８と固定式に結合する。保持要素６６、６８は基礎シート構造１８とともに一部品形成で具現化される。原則的に、ボルト５８、６０が同じく基礎シート構造１８とともに一部品で具現化されることも考えられる。原則的に、乳児キャリヤー３４が、したがって同じくチャイルドシート１０がさらなる形状合致要素を含み、それらを介して乳児キャリヤー３４がその後側４８でチャイルドシート１０と結合されることも考えられる。
【００２７】
乳児キャリヤー３４はさらなる形状合致要素７０を含む。さらなる形状合致要素７０は、チャイルドシート１０とのさらなる結合のために構成される。さらなる形状合致要素７０は、着座方向に対して横方向に延びる軸の周りでのチャイルドシート１０内での乳児キャリヤー３４の回転を防止するように構成される。さらなる形状合致要素７０は、乳児キャリヤー３４の下側７２に配置される。乳児キャリヤー３４がチャイルドシート１０内に配置された状態で、下側７２はチャイルドシート１０のシート底部１４の方を向く。形状合致要素７０は乳児キャリヤー３４の前端部に配置される。さらなる形状合致要素７０は、Ｌ字形のフックとして形成される。そのシート底部１４の前端部に、チャイルドシート１０は、乳児キャリヤー３４のさらなる形状合致要素７０に対応して形成されるさらなる形状合致要素７４を含む。チャイルドシート１０のさらなる形状合致要素７４は凹部として形成され、乳児キャリヤー３４のさらなる形状合致要素７０は形状合致接続のためにその凹部内で係合する。乳児キャリヤー３４がチャイルドシート１０内に取り付けられている状態で、さらなる形状合致要素７０は、乳児キャリヤー３４の前端部を形状合致係合によってチャイルドシート１０の前端部に固定し、このようにして乳児キャリヤー３４の前端部がチャイルドシート１０から離昇することを防止することができる。
【符号の説明】
【００２８】
１０…チャイルドシート、１２…シート基礎部分、１４…シート底部、１６…背もたれ、１８…基礎シート構造、２０…頭部領域、２２…頭部領域、２４…中間シェル、２６…壁、２８…壁、３０…ヘッドレスト、３２…足部、３４…乳児キャリヤー、３６…硬質シェル、３８…内側、４０…着座および／または横臥面、４２…持ち運び用ハンドル、４４…ピボット軸受、４６…ベルトシステム、４８…後側、５０…形状合致要素、５２…形状合致要素、５４…形状合致要素、５６…形状合致要素、５８…ボルト、６０…ボルト、６２…突起、６４…突起、６６…保持要素、６８…保持要素、７０…形状合致要素、７２…下側、７４…形状合致要素。
【図１】
2018523608.tif 000003
【図２】
2018523608.tif 000004
【図３】
2018523608.tif 000005
【図４】
2018523608.tif 000006
【図５】
2018523608.tif 000007
【図６】
2018523608.tif 000008
【図７】
2018523608.tif 000009
【国際調査報告】
2018523608.tif 000010
2018523608.tif 000011
2018523608.tif 000012
2018523608.tif 000013